(57)【要約】　　　（修正有）【課題】ぬいぐるみ内で操作する人間の負担が軽減され、安全に且つ安定してぬいぐるみ内に吸気することができ、ぬいぐるみの操作が容易であるイベント用風船ぬいぐるみを提供する。【解決手段】風船型ぬいぐるみ本体は、ぬいぐるみ本体内部で操作する人間（以下、作業者）が入出する入出口と、外気を吸入するための吸気部が設けられ、送風機は、風船型ぬいぐるみ本体内壁面側に固定され、電源バッテリーは、本体と、それを収納する袋部材とからなり、袋部材は、作業者が装着するベルト部材を備え、送風機と電源バッテリーは、所定の長さを有した電源ケーブルによって電気的に接続可能である。また、ぬいぐるみ本体内部には、ぬいぐるみ本体の一部又は全部を可動する操作部や、作業者とぬいぐるみ本体内壁面との距離を一定に保つための保持部材が設けられていても良い。【選択図】　図１
0003099787.tif 000002
【実用新案登録請求の範囲】
【請求項１】
動物やキャラクターなどを形取った風船型ぬいぐるみ本体と、該風船型ぬいぐるみ本体内に外気を吸入する送風機と、該送風機の電源バッテリーとからなり、前記風船型ぬいぐるみ本体は、該風船型ぬいぐるみ本体内に入って操作する人間（以下、作業者）が入出する入出口と、外気を吸入するための吸気部が設けられ、前記送風機は、該吸気部の前記風船型ぬいぐるみ本体内壁面側に固定され、前記電源バッテリーは、電源バッテリー本体と、該電源バッテリー本体を収納する袋部材とからなり、該袋部材は、作業者が装着するベルト部材を備え、前記送風機と前記電源バッテリーは、所定の長さを有した電源ケーブルによって電気的に接続可能であることを特徴とするイベント用風船ぬいぐるみ。
【請求項２】
前記風船型ぬいぐるみ本体内部には、該風船型ぬいぐるみ本体の一部又は全部を可動する操作部が設けられ、該操作部は、該風船型ぬいぐるみ本体内壁面に取っ手及び／又は紐部材が設けられていることを特徴とする請求項１に記載のイベント用風船ぬいぐるみ。
【請求項３】
前記風船型ぬいぐるみ本体内部には、作業者と該風船型ぬいぐるみ本体内壁面との距離を一定に保つための保持部材が設けられ、該保持部材は、該風船型ぬいぐるみ本体内壁面に設けられたベルト状部材からなり、作業者は該ベルト状部材を装着することを特徴とする請求項１又は２に記載のイベント用風船ぬいぐるみ。
【請求項４】
前記風船型ぬいぐるみ本体は、二足歩行型であることを特徴とする請求項１〜３のいずれかに記載のイベント用風船ぬいぐるみ。
【考案の詳細な説明】
【０００１】
【考案の属する技術分野】
イベントや行事、様々な催し物、宣伝広告時などで使用されるぬいぐるみに関するものであって、特にぬいぐるみが風船型に形成され、外気を吸入してふくらませる風船型ぬいぐるみに関する。
【０００２】
【従来の技術】
従来、様々な催し物や行事などでは、度々ぬいぐるみが登場していた。このぬいぐるみは、行進したり、ビラや風船などを配ったり、踊ったり、記念撮影をしたりするなど、様々なパフォーマンスをして、そのイベントを盛り上げたり、アピールをするために使用されていた。このぬいぐるみは、人形、動物、各種キャラクターなどに形成され、内部に人間が入って操作するものがほとんどである。
【０００３】
従来、ぬいぐるみを製造するには、綿くず、布きれ、ウレタン片などを袋内に詰め込んで縫製するものが主流であった。最近では、発泡スチロール、ウレタン、樹脂などで、胴体、腕、脚などの各部品を形取り、各部品を縫合して形成したぬいぐるみもある。
【０００４】
しかし、これらのぬいぐるみは、人間が入るため、それなりの大きさを有する。従って、製作に非常に時間がかかり、製作コストも嵩みやすいという問題を有していた。また、これらのぬいぐるみは嵩張るため、保管効率や搬送効率が非常に悪いという問題も有している。
【０００５】
また、従来のぬいぐるみ内は、空気が循環しにくいため、高温多湿になりやすい。よって、ぬいぐるみ内の人間には非常に過酷で、体力の消耗が激しく、長時間の操作が困難であるため、ぬいぐるみを操作できる人間が限られてしまうという問題があった。
【０００６】
そこで、上記問題を解決するために、ナイロンシート又はビニールシートを材料として風船状のぬいぐるみを形成し、このぬいぐるみ内に空気を供給してふくらませ、内部に人間が入って操作する風船型のぬいぐるみが開発された。（実開平５−３３７８１号）
【０００７】
この風船型のぬいぐるみは、ぬいぐるみ内に外気を取り入れるため送風機を使用しており、この送風機は、電源バッテリー付きでモーター直結の送風機などを備えた送気ユニットと、送気ユニットの送風機の吸気口が通気口に係脱自在に嵌装された吸気管とからなる。ぬいぐるみ内の人間は、この送気ユニットを体に装着しながらぬいぐるみを操作していた。
【０００８】
【考案が解決しようとする課題】
しかし、実開平５−３３７８１号に記載の発明は、送気ユニットが電源バッテリーと送風機が直結しているため、非常に重く、ぬいぐるみ内で操作する人間にとって非常に負担になってしまい、長時間の作業が困難であるという問題が生じていた。
【０００９】
また、送風管がぬいぐるみの吸気口と係脱自在であるために、ぬいぐるみ内の人間が動いたり、衝撃が与えられたり、外圧などによって送風管が外れ、ぬいぐるみがしぼんでしまうということがあった。また、送風管の長さが短すぎると、送風管が外れ易くなってしまい、逆に送風管の長さが長すぎると、操作している人間の邪魔になったり、送風管が途中で折れ曲がってしまい、吸気に支障がでてしまうといったように、送風管の長さ調節が難しいという問題も生じていた。
【００１０】
また、従来の風船型ぬいぐるみは、腕や頭を動かす時、ぬいぐるみ内の人間が手を目一杯伸ばして動かす必要があった。しかし、送風機を体に装着しているため、無理をして大きな動きをすると、バランスを崩したり、送風管が外れたり、送風管に引っ張られて吸気口と送風管の係合部が破損したり、ぬいぐるみが損傷することがある。そのため、ぬいぐるみ内で操作する人間の動作が抑制されてしまい、ぬいぐるみが小さな動きになって、イベントなどのアピールにならないという問題もあった。
【００１１】
また、送風機は、ぬいぐるみ内で操作している人間が装着していたため、操作している人間の服や髪の毛などを巻き込む危険性があった。また、送気ユニットを背中に背負っており、電源スイッチを後ろ手に手探りで探さなければならないため、作動中の送風機に触れてしまう危険性もある。
【００１２】
以上のことから、ぬいぐるみ内で操作する人間の負担が軽減され、安全且つ安定してぬいぐるみ内に吸気ができ、ぬいぐるみの操作が容易であるイベント用風船ぬいぐるみの開発が望まれていた。
【００１３】
【課題を解決するための手段】
上記課題を解決するために、本考案に係るイベント用風船ぬいぐるみは、動物やキャラクターなどを形取った風船型ぬいぐるみ本体と、風船型ぬいぐるみ本体内に外気を吸入する送風機と、送風機の電源バッテリーとからなり、風船型ぬいぐるみ本体は、人間が入出する入出口と、外気を吸入するための吸気部が設けられ、送風機は、吸気部の風船型ぬいぐるみ本体内壁面側に固定され、電源バッテリーは、電源バッテリー本体と、電源バッテリー本体を収納する袋部材とからなり、袋部材は、人間が装着するベルト部材を備え、送風機と電源バッテリーは、所定の長さを有した電源ケーブルによって電気的に接続可能であることを特徴とする。
【００１４】
また、風船型ぬいぐるみ本体内部には、風船型ぬいぐるみ本体の一部又は全部を可動する操作部が設けられ、操作部は、風船型ぬいぐるみ本体内壁面に取っ手及び／又は紐部材が設けられていることを特徴とする。
【００１５】
また、風船型ぬいぐるみ本体内部には、内部の人間と風船型ぬいぐるみ本体内壁面との距離を一定に保つための保持部材が設けられ、保持部材は、風船型ぬいぐるみ本体内壁面に設けられたベルト状部材からなり、内部の人間は風船型ぬいぐるみを操作する際にベルト状部材を装着することを特徴とする。
【００１６】
また、風船型ぬいぐるみ本体は、二足歩行型であっても良い。
【００１７】
【考案の実施の形態】
本考案に係るイベント用風船ぬいぐるみ２について、図を参照にしながら説明する。図１は本考案に係るぬいぐるみ本体４の一実施の形態を示した説明図であり、図２はぬいぐるみ本体４の正面図、図３はぬいぐるみ本体４の背面図である。また、図４はぬいぐるみ本体４の内部状況を示す部分分解図である。なお、これらの図は、本考案を説明するためだけのものであって、本考案を何ら限定するものではない。
【００１８】
本考案に係るイベント用風船ぬいぐるみ２は、動物やキャラクターなどを形取った風船型ぬいぐるみ本体４と、風船型ぬいぐるみ本体４内に外気を吸入する送風機２６と、送風機２６の電源バッテリー１４とからなり、ぬいぐるみ本体４内部に人間が入って操作する。（これより以下、ぬいぐるみ本体４内部で操作する人間を作業者３４とする。）
【００１９】
ぬいぐるみ本体４は、ナイロンシート、ビニールシート、樹脂などで風船型に形成され、ぬいぐるみ本体４の一箇所又は複数箇所から外気を吸入させて、膨らませる構造になっている。風船型にすることで、不使用時には空気を抜いて折り畳んで収納することができる。また、総重量も約３ｋｇ程度に抑えることができるため、バックなどに入れて持ち運びすることができ、搬送効率、保管効率が飛躍的に向上する。
【００２０】
ぬいぐるみ本体４の大きさとしては、内部に一般的な成人男性が入ったとき、ぬいぐるみ本体４内壁面と作業者が密接しない程度の間隙を有し、作業者がぬいぐるみ本体４内で何らかの動作が可能な程度の大きさを有していることが好ましい。具体例を挙げると、高さ２３０ｃｍ、幅１４０ｃｍ程度の大きさを有していれば、群衆の中でも頭部が飛び出して人目に付きやすくなるため、広告宣伝活動の支障にならない。また、この程度の大きさであれば、女性でも内部に入って操作することができ、作業者を特定する必要が無い。
【００２１】
また、ぬいぐるみ本体４は、動物などを愛嬌や愛着が沸くように誇張、歪形した形状であるのが好ましい。また、独自に開発したキャラクターでも良いし、広く一般に認知されたキャラクターなどの形状でも良く、ぬいぐるみ本体４の使用目的に応じて適宜設定すれば良い。
【００２２】
また、ぬいぐるみ本体４は、二足歩行型であるのが良い。ぬいぐるみ本体を二足歩行型にすることで、一人の作業者が無理な体勢をする必要無く、長時間操作が可能となる。また、ぬいぐるみ本体４の形状や構造によっては、必ずしも二足歩行型である必要はなく、複数人の作業者がぬいぐるみ本体４内部に入って操作しても良い。
【００２３】
また、ぬいぐるみ本体４には、作業者３４が入出可能な入出口６と、外気を吸入するための吸気部８が設けられている。
【００２４】
入出口６は、ぬいぐるみ本体４に成人男性が潜り抜け可能な程度の穴を形成し、ファスナー、マジックテープ（登録商標）などで入出口６を塞げる構造になっているのが良い。入出口６の位置としては、ぬいぐるみ本体４の背面又は底面などの、比較的人目に付きにくい位置に形成されるのが好ましい。また、ファスナーなどで入出口６を塞いだ後、入出口６及びファスナーを隠すための折り返しなどを設けても良い。このファスナーは、ぬいぐるみ本体４外部又は内部のどちらか一方のみ開閉可能な構造でも良いし、両者どちらからでも開閉可能な構造でも良い。
【００２５】
また、吸気部８は、吸気口８と、送風機２６を固定するための送風機固定部１２とからなり、吸気口８は一つ又は複数がぬいぐるみ本体４に設けられている。送風機固定部１２は、ぬいぐるみ本体４内部側の吸気口８が設けられている箇所に設けられている。
【００２６】
吸気口８及び送風機固定部１２は、吸気に支障がないよう、メッシュ生地や金網など、通気性に優れた材料、構造、特性を有したもので形成されているのが好ましい。また、吸気口８は、ぬいぐるみ本体４の背面又は底部側の目立たない位置に設けられているのが好ましい。例えば、ぬいぐるみ本体４が動物の形状をしている場合は、尻尾の付け根部分などに吸気口８を設けるのが良い。また、ぬいぐるみ本体４の目立つ箇所に吸気口８を設ける場合は、吸気部８吸気部８を隠すことができる折り返しなどを設けても良い。
【００２７】
また、ぬいぐるみ本体４内部には、ぬいぐるみ本体４の一部又は全部を動かすことができる操作部３０が設けられていても良い。この操作部３０は、ぬいぐるみ本体４内壁面に取っ手や紐部材が設けられ、作業者３４がこの取っ手や紐部材を引っ張ったりすることで、ぬいぐるみ本体４が動く構造になっている。例えば、図４に示されているように、牛の腕の部分に取っ手を設ければ、取っ手を握って動かすことができ、容易且つ迅速にぬいぐるみ本体４の一部を動かすことが可能となる。また、図４には示されていないが、牛の耳や角の部分に紐部材を設ければ、作業者３４が手を伸ばしても届かない箇所を動かすことも可能となり、従来のぬいぐるみと比べて表情や動作が増え、より効果的な広告宣伝活動が可能となる。
【００２８】
また、ぬいぐるみ本体４内部には、作業者３４とぬいぐるみ本体４内壁との距離を一定に保つための保持部材２８が設けられているのが良い。保持部材２８としては、図４に示されているように、ぬいぐるみ本体４内壁面にベルト状部材３６を設け、作業者３４がベルト状部材を装着する構造が良いが、その他の手段、構造であっても良い。従来の風船型ぬいぐるみは、ぬいぐるみと作業者３４の距離を一定に保つための部材がなかったため、風が吹いたり、誰かに押されたりすると、ぬいぐるみが傾いてしまう。また、ぬいぐるみを元に戻すときも作業者３４がぬいぐるみ本体４内から押して元の状態に戻していた。これに対し、保持部材２８を設けることにより、作業者が何らかの動作をしたり、風が吹いたり、外圧が働いたとしても、ぬいぐるみ本体４が傾かないため、作業者３４がぬいぐるみ本体４を元の位置に戻す必要も無くなり、広告宣伝活動にも支障が出ない。
【００２９】
次に、本考案にかかる電源バッテリー１４は、電源バッテリー本体１６と、電源バッテリー本体１６を収納する袋部材１８とからなる。また、袋部材１８は、作業者３４が装着するベルト部材２０を備え、送風機２６と電源バッテリー１４は、所定の長さを有した電源ケーブル２２によって電気的に接続可能であることを特徴とする。
【００３０】
図５は、作業者３４が電源バッテリー１４を装着した状態を示した説明図である。電源バッテリー本体１６は、充電して複数回再使用可能な充電式のものが好ましいが、乾電池などの使い切り式のものであっても良い。また、袋部材１８は、作業者３４が装着しやすく、長時間装着しても負担になりにくい形状、構造のものが良い。具体的には、作業者３４の腰に巻き付けられるような形状か、背中に背負えるような形状が好ましく、ウエストポーチ、リュックサック、ナップサックなどが好ましい。また、ベルト部材２０は、ウエストポーチやリュックサックなどで使用されている一般的なベルトを使用することができ、ベルト部材２０の長さを自在に調節できると更に良い。
【００３１】
また、電源バッテリー１４と送風機２６を結ぶ電源ケーブル２２は、プラグなどの連結部材２４を用いて、着脱自在に接続できる構造が好ましい。また、この連結部材２４は、抜け止めコンセントのように、容易に連結部２４材が外れない構造になっているのが良い。この連結部材２４の種類、構造、設置位置などの条件は、電源バッテリー１４と送風機２６との距離、電源バッテリー１４のボルトやアンペアといった種々の条件を考慮して適宜設定すれば良い。
【００３２】
また、電源バッテリー１４には、電源ケーブル２２を収納する電源ケーブル収納部を設けても良い。この収納部は、例えば、使用するときに電源ケーブル２２を引っ張り出し、不使用時には自動的に巻き取る機能を有していても良い。使用時に必要な長さだけ引っ張り出して使用できれば、電源ケーブル２２を最適な長さで連結することができ、作業者３４の邪魔にならない。
【００３３】
次に、本考案に係る送風機２６は、広く一般的に使用されているものを使用することができ、特別なものを使用する必要はないが、適当な大きさで軽量型のものが良い。また、送風機２６は、ぬいぐるみ本体４内の送風機固定部１２と共にぬいぐるみ本体４に直接固定されていても良いし、着脱可能であっても良い。着脱可能に固定される場合は、送風機２６が容易に移動しないような何らかの工夫をするのが好ましい。
【００３４】
また、本考案に係るぬいぐるみ本体４には、作業者３４がぬいぐるみ本体４内部から外観を見ることができる隠し窓３２が設けられていても良い。この隠し窓３２は、図示されているように、なるべく外側から目立たない位置に設けられているのが好ましい。隠し窓３２としては、プラスチック・金属などで形成された格子状部材や、メッシュ生地などで形成されるのが良い。隠し窓３２を設けることで、作業者３４が外の状況を把握することができ、危険回避や良好な広告宣伝活動が行える。更に、ぬいぐるみ本体４内部の空気が適度に漏れるため、内部の空気が循環し、ぬいぐるみ本体４内部の高温多湿を防ぐことができる。
【００３５】
以上が本考案に係るイベント用風船ぬいぐるみ２についての説明であるが、本考案の目的を逸脱しない限り、種々の条件及び設定は、変更が可能である。
【００３６】
次に、本考案に係るイベント用風船ぬいぐるみ２の、装着方法、使用方法を説明する。まず、ぬいぐるみ本体４を装着する前に、電源バッテリー本体１６を十分に充電する。そして、電源バッテリー本体１６を袋部材１８内に収納し、作業者３４が装着する。このとき、図５に示されたように、ベルト部材２０を両肩及び腰に掛け、ベルト部材２０を適度な長さに調節する。
【００３７】
次に、ぬいぐるみ本体４の脚の部分にそれぞれ作業者３４の足をいれ、固定部に作業者３４の足を固定する。そして、図４に示されたように、ぬいぐるみ本体４の股の部分に設けられた保持部材２８を、作業者３４の胸と背中でそれぞれ交差するように襷がけする。このとき、作業者３４の上半身をぬいぐるみ本体４から外に出してこれらの作業を行った方が効率が良い。
【００３８】
電源バッテリー１４及び保持部材２８の装着が完了したら、ぬいぐるみ本体４内に作業者３４の全身を入れ、外側から入出口６を塞ぐ。そして、ぬいぐるみ本体４内で、電源バッテリー１４から伸びたプラグと、送風機２６から伸びたプラグを連結し、送風機２６を稼働させる。所定時間を経過すると、ぬいぐるみ本体４全部に空気が充填でき、ぬいぐるみが立ち上がる。電源バッテリー１４の電力が落ちた場合は、予備の電源バッテリー１４などを使えば、長時間連続でイベント用風船ぬいぐるみ２を使用することができる。
【００３９】
【考案の効果】
本考案に係るイベント用風船ぬいぐるみは、風船型ぬいぐるみ本体と、風船型ぬいぐるみ本体内に外気を吸入する送風機と、送風機の電源バッテリーとからなり、送風機は風船型ぬいぐるみ本体内壁面側に固定され、送風機と電源バッテリーは所定の長さを有した電源ケーブルによって電気的に接続可能であるため、作業者は電源バッテリーのみを装着するだけで良く、作業者の負担が軽減されて、一人でも長時間の作業が可能となる。また、女性でも操作が可能であるため、作業者を特定する必要が無くなり、汎用性のあるぬいぐるみを提供することができる。
【００４０】
また、不使用時には、ぬいぐるみ本体を折り畳んで収納することができるため、保管効率及び搬送効率を大幅に向上させることができる。
【００４１】
また、送風機がぬいぐるみ本体内壁部に固定されているため、送風機と外気を吸入する吸入口との距離が無くなり、良好に外気を吸入することができる。更に、ぬいぐるみが動いたり、何らかの外圧があっても、送風機の位置がずれないため、安定して吸気することができ、更に、作業者の動作が抑制されないという効果を有する。
【００４２】
また、風船型ぬいぐるみ本体内部には、風船型ぬいぐるみ本体の一部又は全部を可動する操作部が設けられ、操作部は風船型ぬいぐるみ本体内壁面に取っ手及び／又は紐部材からなるため、作業者の手の届かない箇所でも楽に動かすことができる。また、ぬいぐるみが様々な動作及び表情を表現することができるため、宣伝広告活動、各種イベントなどで多大なアピールをすることができる。
【００４３】
また、風船型ぬいぐるみ本体内部には、作業者とぬいぐるみ本体内壁面との距離を一定に保つことができる保持部材が設けられているため、風が吹いたり、人に押されるなど、何らかの外圧に対してもぬいぐるみが傾かずに正常な位置を保つことができ、使用環境などを限定しない汎用性を有するぬいぐるみを提供することができる。
【００４４】
また、風船型ぬいぐるみ本体は二足歩行型であり、作業者は無理な姿勢をする必要がないため、作業者の負担がなくなり、長時間の作業に支障が出ない。
【図面の簡単な説明】
【図１】本考案に係るイベント用風船ぬいぐるみの一実施の形態を示した説明図である。
【図２】本考案に係るイベント用風船ぬいぐるみの一実施の形態を示した正面図である。
【図３】本考案に係るイベント用風船ぬいぐるみの一実施の形態を示した背面図である。
【図４】本考案に係るイベント用風船ぬいぐるみの使用状態を示した部分分解図である。
【図５】本考案に係る電源バッテリーの装着状態を示した説明図である。
【図６】本考案に係るイベント用風船ぬいぐるみの使用状態を示した分解側面図である。
【符号の説明】
２　　イベント用風船ぬいぐるみ
４　　ぬいぐるみ本体
６　　入出口
８　　吸気部
１０　吸気口
１２　送風機固定部
１４　電源バッテリー
１６　電源バッテリー本体
１８　袋部材
２０　ベルト部材
２２　電源ケーブル
２４　連結部材
２６　送風機
２８　保持部材
３０　操作部
３２　隠し窓
３４　作業者
３６　ベルト状部財
【図１】
0003099787.tif 000003
【図２】
0003099787.tif 000004
【図３】
0003099787.tif 000005
【図４】
0003099787.tif 000006
【図５】
0003099787.tif 000007
【図６】
0003099787.tif 000008